(57)【特許請求の範囲】
【請求項１】
複数の水平なスラブを上下層状に有した集合住宅構造物本体を有し、上下に隣接した前記スラブ間にフロア空間をそれぞれ設け、前記各フロア空間内に複数の屋内住戸空間を形成した集合住宅において、
前記各屋内住戸空間に天井部材を、該天井部材の下方に居住用空間を形成し、該天井部材の上方に天井裏空間を形成する形で略矩形状に設け、
該略矩形状の天井部材は、３行３列の９つの区域に区画され、
１行２列目の区域と、３行１列目の区域と、３行３列目の区域とには、開閉可能な開閉口がそれぞれ形成され、
１行１列目の区域と、１行３列目の区域とには、行方向に沿って物品を滑動させることのできるような物品滑動手段が配置され、
２行１列目の区域と、２行３列目の区域とには、列方向に沿って物品を滑動させることのできるような物品滑動手段が配置され、
３行２列目の区域には、行方向に沿って物品を滑動させることのできるように物品滑動手段が配置された、ことを特徴とする集合住宅構造。
【請求項２】
前記物品滑動手段は、回転自在な複数のコロを有していることを特徴とする請求項１記載の集合住宅構造。
【請求項３】
前記各物品滑動手段の前記各コロの回転方向は、該物品滑動手段と、該物品滑動手段に対応する前記開閉口とを結ぶ方向に一致していることを特徴とする請求項２記載の集合住宅構造。
【発明の詳細な説明】
【０００１】
【産業上の利用分野】
本発明は、天井裏等を利用して物品を収納することのできる集合住宅構造に関する。
【０００２】
【従来の技術】
マンションなどのような従来の集合住宅では押し入れなどの物品を収納する設備が備え付けてあるが、更に多くの物品を収納するため、或いは物品の性質上押し入れなどに収納したくない物品を収納するため、該押し入れなどとは別に、屋内又は屋外に納屋などの別の収納用の設備を設けることがある。
【０００３】
【発明が解決しようとする課題】
しかし、納屋などの別の収納用の設備を設けるには、該納屋などを設置し得る広さのスペースを確保する必要があり、これにより限られた専有面積内において、居室やベランダなどのその他の要素に対して使用し得るスペースが制限され都合が悪かった。また、収納用の設備としては、該設備に対する物品の出し入れが容易に行われるものが望まれている。
【０００４】
本発明は上記事情に鑑み、物品を収納する設備が、限られた専有面積内において、居室やベランダなどのその他の要素に対して使用し得るスペースを制限することなく設けられ、該設備に対する物品の出し入れが容易となる集合住宅構造を提供することを目的としている。
【０００５】
【課題を解決するための手段】
即ち本発明のうち第１の発明は、複数の水平なスラブ（５）を上下層状に有した集合住宅構造物本体（１ａ）を有し、上下に隣接した前記スラブ（５、５）間にフロア空間（６）をそれぞれ設け、前記各フロア空間（６）内に複数の屋内住戸空間（９）を形成した集合住宅（１）において、前記各屋内住戸空間（９）に天井部材（１１）を、該天井部材（１１）の下方に居住用空間（１０）を形成し、該天井部材（１１）の上方に天井裏空間（１２）を形成する形で略矩形状に設け、
該略矩形状の天井部材（１１）は、３行３列の９つの区域（ＳＰ１、ＳＰ２、ＳＰ３、ＳＰ４、ＳＰ５、ＳＰ６、ＳＰ７、ＳＰ８、ＳＰ９）に区画され、
１行２列目の区域（ＳＰ２）と、３行１列目の区域（ＳＰ７）と、３行３列目の区域（ＳＰ９）とには、開閉可能な開閉口（１１ａ）がそれぞれ形成され、
１行１列目の区域（ＳＰ１）と、１行３列目の区域（ＳＰ３）とには、行方向に沿って物品を滑動させることのできるような物品滑動手段（１５）が配置され、
２行１列目の区域（ＳＰ４）と、２行３列目の区域（ＳＰ６）とには、列方向に沿って物品を滑動させることのできるような物品滑動手段（１５）が配置され、
３行２列目の区域（ＳＰ８）には、行方向に沿って物品を滑動させることのできるように物品滑動手段（１５）が配置された、ことを特徴とする。
【０００６】
また本発明のうち第２の発明は、第１の発明による集合住宅構造において、前記物品滑動手段（１５）は、回転自在な複数のコロ（１７）を有している。
【０００７】
また本発明のうち第３の発明は、第２の発明による集合住宅構造において、前記各物品滑動手段（１５）の前記各コロ（１７）の回転方向（矢印Ｊ、Ｋ方向）は、該物品滑動手段（１５）と、該物品滑動手段（１５）に対応する前記開閉口（１１ａ）とを結ぶ方向に一致している。
【０００８】
なお、（ ）内の番号等は、図面における対応する要素を示す、便宜的なものであり、従って、本記述は図面上の記載に限定拘束されるものではない。以下の「作用」の欄についても同様である。
【０００９】
【作用】
上記した構成により本発明のうち第１の発明では、５つの区域（ＳＰ１、ＳＰ３、ＳＰ４、ＳＰ６、ＳＰ８）を収納用空間として利用できる。
【００１０】
また本発明のうち第２の発明では、物品滑動手段（１５）を介して物品（ＢＰ）を側方に滑動移送させる際には、該物品（ＢＰ）を複数のコロ（１７）の上に載せて滑動移送させる。
【００１１】
また本発明のうち第３の発明では、複数のコロ（１７）は、物品（ＢＰ）を滑動移送させるべき方向に回転する。
【００１２】
【実施例】
以下、本発明の実施例を図面に基づき説明する。図１は、本発明による集合住宅構造の一例が適用された集合住宅を示す拡大平断面図、図２は、図１の集合住宅を示す平断面図、図３は、図１のＸ１−Ｙ１線断面図、図４は、天井裏空間内を示した拡大斜視図である。
【００１３】
本発明による集合住宅構造が適用されたマンション等の集合住宅１は、図１乃至図３に示すように構造物本体１ａを有している。構造物本体１ａは、図示しない地盤上に立設された鉄筋コンクリート製の複数の柱２及び、これら柱２に接合支持された鉄筋コンクリート製の複数の水平な梁３を有しており、これら複数の柱２及び梁３には、鉄筋コンクリート製の複数の水平なスラブ５が上下層状に設置されている。上下に隣接するスラブ５、５間にはフロア空間６がそれぞれ設けられており、各フロア空間６は、図２に示すように、水平方向である図の矢印Ａ、Ｂ方向に伸延した形となっている。各フロア空間６には、この矢印Ａ、Ｂ方向に伸延した形の共用廊下などに使用される共用設備空間７が形成されており、また各フロア空間６には、この共用設備空間７に隣接した形で複数の住戸空間９が形成されている。各フロア空間６における複数の住戸空間９は、矢印Ａ、Ｂ方向に一列に配置されており、各住戸空間９は、前記共用設備空間７に隣接した側（図１及び図２の紙面上側）の屋内部９ａと、前記共用設備空間７に背向した側（図１及び図２の紙面下側）のベランダ部９ｂとから構成されている。屋内部９ａには、複数の居室、台所、トイレ、浴室、玄関等が設けられている。
【００１４】
各住戸空間９の屋内部９ａのうち、上述した複数の居室等に対応した位置には、図３に示すように、水平な天井板１１が設置されており、例えば図１及び図３に示す所定の居室（本実施例では洋室になっている）に対応した位置では、該天井板１１の下方に洋室空間１０が、該天井板１１の上方に天井裏空間１２がそれぞれ形成されている。天井裏空間１２には、図１に示すように、該天井裏空間１２を水平格子状に区切る形で９つのスペースＳＰ１〜ＳＰ９が設定され形成されている（これらスペースＳＰ１〜ＳＰ９の配置状態は図１に示すとおり。）。天井板１１には、図１及び図３に示すように、前記スペースＳＰ２、ＳＰ７、ＳＰ９に対応した位置において、該天井板１１を上下に貫通した開閉口１１ａ（例えば、従来の天井板に設けられていた点検口の２倍程度の大きさの穴）がそれぞれ設けられており、各開閉口１１ａには、該開閉口１１ａを開閉し得る開閉扉１１ｂが図３の矢印Ｃ、Ｄ方向に回動自在に蝶着されている。また天井板１１には、図１及び図３に示すように、前記スペースＳＰ５に対応した位置において、照明器具１３（二点鎖線で図示）が吊下設置されており、該照明器具１３を吊下設置した位置における天井板１１の上側、従ってスペースＳＰ５には、該照明器具１３に電気を供給するための電気配線等が施されている。なお、天井板１１には図示しない木軸等で補強されている。
【００１５】
一方、天井板１１の上には、図１及び図３及び図４に示すように、前記スペースＳＰ１、ＳＰ３、ＳＰ４、ＳＰ６、ＳＰ８において、物品移送装置１５がそれぞれ設置されている。各物品移送装置１５は、天井板１１上に水平に固定された長方形枠状のフレーム１６を有しており、該フレーム１６には、水平方向である図４R>４の矢印Ｅ、Ｆ方向に伸延した形の、円柱状の移送用コロ１７が複数設置されている。即ち、これら各移送用コロ１７は、その両端側がフレーム１６により軸支されており、しかも前記矢印Ｅ、Ｆ方向とは垂直な水平方向である図４の矢印Ｇ、Ｈ方向に一致した図の矢印Ｊ、Ｋ方向に回転自在となっている。従ってこれら移送用コロ１７上に載置された物品ＢＰは、複数の移送用コロ１７を回転させる形で図の矢印Ｇ、Ｈ方向に滑動移送自在となっている。つまり、物品移送装置１５上に載置された物品ＢＰは、複数の移送用コロ１７の回転により、該物品ＢＰの下面側において極力摩擦抵抗を発生させない形で矢印Ｇ、Ｈ方向に移送自在となっている。なお、スペースＳＰ１、ＳＰ３に対応した位置に設置された物品移送装置１５、１５は、それぞれの矢印Ｇ方向を、該物品移送装置１５とスペースＳＰ２の開閉口１１ａとを結ぶ方向にそれぞれ一致させて配置しており、スペースＳＰ４に対応した位置に設置された物品移送装置１５は、矢印Ｇ方向を、該物品移送装置１５とスペースＳＰ７の開閉口１１ａとを結ぶ方向に一致させて配置しており、スペースＳＰ６に対応した位置に設置された物品移送装置１５は、矢印Ｇ方向を、該物品移送装置１５とスペースＳＰ９の開閉口１１ａとを結ぶ方向に一致させて配置しており、スペースＳＰ８に対応した位置に設置された物品移送装置１５は、矢印Ｇ方向を、該物品移送装置１５とスペースＳＰ７の開閉口１１ａとを結ぶ方向に一致させ、矢印Ｈ方向を、該物品移送装置１５とスペースＳＰ９の開閉口１１ａとを結ぶ方向に一致させて配置している。なお、各スペースＳＰ１、ＳＰ３、ＳＰ４、ＳＰ６、ＳＰ８毎に大きさや形態等が異なるので、物品移送装置１５の大きさや形態（フレームを形づくっている長方形の形態）は、それぞれのスペースに合わせて多様であってもよい。
【００１６】
集合住宅１等は以上のように構成されているので、各住戸空間９では、洋室空間１０の天井裏空間１２のうち、収納用空間であるスペースＳＰ１、ＳＰ３、ＳＰ４、ＳＰ６、ＳＰ８に物品ＢＰを以下のように収納することができる。例えば天井裏空間１２のスペースＳＰ８に物品ＢＰを収納したい場合には、まず天井板１１の開閉扉１１ｂのうちスペースＳＰ７に対応した位置の開閉扉１１ｂを開けて、該スペースＳＰ７に通じる開閉口１１ａを開放する。次いで、物品ＢＰを、該開閉口１１ａ及びスペースＳＰ７を通してスペースＳＰ８に移送する。この際、物品ＢＰをスペースＳＰ８下方の物品移送装置１５に載せながら、該物品移送装置１５上を矢印Ｈ方向に滑動移送させるようにする。以上で物品ＢＰの収納が完了した。
【００１７】
なお、物品ＢＰをスペースＳＰ８に収納するには、スペースＳＰ９に対応した位置の開閉扉１１ｂ及びスペースＳＰ９を通して、該物品ＢＰをスペースＳＰ８に移送するようにしてもよい。また、物品ＢＰをスペースＳＰ１に収納するには、スペースＳＰ２に対応した位置の開閉扉１１ｂ及びスペースＳＰ２を通して、該物品ＢＰをスペースＳＰ１に移送するようにすればよい。物品ＢＰをスペースＳＰ３に収納するには、スペースＳＰ２に対応した位置の開閉扉１１ｂ及びスペースＳＰ２を通して、該物品ＢＰをスペースＳＰ３に移送するようにすればよい。物品ＢＰをスペースＳＰ４に収納するには、スペースＳＰ７に対応した位置の開閉扉１１ｂ及びスペースＳＰ７を通して、該物品ＢＰをスペースＳＰ４に移送するようにすればよい。物品ＢＰをスペースＳＰ６に収納するには、スペースＳＰ９に対応した位置の開閉扉１１ｂ及びスペースＳＰ９を通して、該物品ＢＰをスペースＳＰ６に移送するようにすればよい。
【００１８】
また例えば、スペースＳＰ８に収納されている物品ＢＰを取り出すには、まず天井板１１の開閉扉１１ｂのうちスペースＳＰ７に対応した位置の開閉扉１１ｂを開けて、該スペースＳＰ７に通じる開閉口１１ａを開放する。次いで、スペースＳＰ８に収納されている物品ＢＰをスペースＳＰ７側に移送させ、該スペースＳＰ７に対応した位置の開閉口１１ａを通して天井板１１の下方に取り出す。この際、物品移送装置１５に載せられている物品ＢＰを、該物品移送装置１５上を矢印Ｇ方向に滑動移送させるようにする。以上で物品ＢＰの取り出しが完了した。
【００１９】
なお、スペースＳＰ８に収納されている物品ＢＰの取り出しは、スペースＳＰ９に対応した位置の開閉扉１１ｂ及びスペースＳＰ９を通して行ってもよい。また、スペースＳＰ１に収納されている物品ＢＰの取り出しは、スペースＳＰ２に対応した位置の開閉扉１１ｂ及びスペースＳＰ２を通して行えばよい。スペースＳＰ３に収納されている物品ＢＰの取り出しは、スペースＳＰ２に対応した位置の開閉扉１１ｂ及びスペースＳＰ２を通して行えばよい。スペースＳＰ４に収納されている物品ＢＰの取り出しは、スペースＳＰ７に対応した位置の開閉扉１１ｂ及びスペースＳＰ７を通して行えばよい。スペースＳＰ６に収納されている物品ＢＰの取り出しは、スペースＳＰ９に対応した位置の開閉扉１１ｂ及びスペースＳＰ９を通して行えばよい。
【００２０】
なお上述した実施例では、収納用空間であるスペースＳＰ１、ＳＰ３、ＳＰ４、ＳＰ６、ＳＰ８等が洋室空間１０の上方、従って洋室に対応した位置に設けられている。これは共用廊下側の洋室が寝室等の目的で使用される場合が多く、従ってその使用目的からして天井板１１を極力下方に配置しやすく、それによって天井裏空間１２を極力広くとり、その結果、収納用空間を極力広くとり、収納の便を図ることができるという点で優れているが、その他の実施例として収納用空間を和室や居間、或いは室内廊下や玄関などに対応した位置に設けてもよい。
【００２１】
また上述した実施例では、物品滑動手段である物品移送装置１５の移送用コロ１７は円柱状のコロであったが、コロとしては、これ以外にも球状のコロなどを採用してもよい。或いは、物品滑動手段は、コロ等を有するものでなくてもよい。例えば物品滑動手段として、天井板１１上に設置されたフッソ樹脂などでもよい（この上を物品が滑れるようにしてあるもの）。
【００２２】
また上述した実施例では、物品滑動手段である物品移送装置１５は天井板１１上に直接設置されているが、物品滑動手段の設置態様としてはこの実施例以外にも、天井側のスラブ５などから吊して設置するなど様々なものが採用可能である。
【００２３】
【発明の効果】
以上説明したように請求項１に係る発明によれば、備え付けの押し入れなどの物品収納設備とは別の物品収納設備として、天井裏空間における収納用空間が形成されている。従って、押し入れなどの物品収納用の設備に入りきらない物品を収納したり、或いは物品の性質上押し入れなどに収納したくないような物品を収納したり、その他さまざまな目的で物品を収納する際に該収納用空間が利用できる。この収納用空間は、従来の集合住宅に備えられているような天井裏空間を有効利用する形で形成されているため、該収納用空間を設けたからといって、特に天井部材の下方等においては、限られた専有面積内において、居室やベランダなどのその他の要素に対して使用し得るスペースが制限されるといったことはなく好都合である。また、収納用空間に対する物品の出し入れは、天井部材に設けられた開閉口を介して行うことになるが、収納用空間が開閉口の側方に隣接して配置されているため、該物品の出し入れ動作は極力容易になっている。更に、収納用空間に対して物品を出し入れする際には、該収納用空間と開閉口との間で物品を側方に移送させる必要が生じるが、収納用空間の天井部材側には物品滑動手段が設置されているので、物品の側方への移送は該物品滑動手段を介して滑動させる形で容易に行われる。よって、本発明では収納用空間に対する物品の出し入れは容易になっている。
【００２４】
また、請求項２に係る発明によれば、物品の側方への移送はスムーズになり、従って更に一層容易に行われる。
【００２５】
また、請求項３に係る発明によれば、コロの回転方向は、該物品を滑動移送させるべき方向に一致していることから、物品の移送は更に一層スムーズになる。
【図面の簡単な説明】
【図１】  図１は、本発明による集合住宅構造の一例が適用された集合住宅を示す拡大平断面図である。
【図２】  図２は、図１の集合住宅を示す平断面図である。
【図３】  図３は、図１のＸ１−Ｙ１線断面図である。
【図４】  図４は、天井裏空間内を示した拡大斜視図である。
【符号の説明】
１……集合住宅
１ａ……集合住宅構造物本体（構造物本体）
５……スラブ
６……フロア空間
９……屋内住戸空間（住戸空間）
１０……居住用空間（洋室空間）
１１……天井部材（天井板）
１１ａ……物品出し入れ口（開閉口）
１１ｂ……扉（開閉扉）
１２……天井裏空間
１５……物品滑動手段（物品移送装置）
１７……コロ（移送用コロ）
ＳＰ１……収納用空間（スペース）
ＳＰ３……収納用空間（スペース）
ＳＰ４……収納用空間（スペース）
ＳＰ６……収納用空間（スペース）
ＳＰ８……収納用空間（スペース）
【図１】
0003729911.tif 000002
【図２】
0003729911.tif 000003
【図３】
0003729911.tif 000004
【図４】
0003729911.tif 000005